(57)【要約】【課題】採風を行いながら遮光性を確保できるとともに、所望の明るさの採光を行うことができ、また、十分な機械的強度に優れたルーバ装置を提供する。【解決手段】本発明は、上下方向に間隔を空けてそれぞれ水平軸回りに回動自在に配置した複数のルーバー材Ｂを備え、ルーバー材Ｂは、中空部を有する外殻構造であり、照射光を遮断する遮光部Ｓ１，Ｓ２と、照射光を透過する透光部Ｓ３，Ｓ４とを外殻に区画形成してある。【選択図】図１
2010077637.tif 000002
【特許請求の範囲】
【請求項１】
上下方向に間隔を空けてそれぞれ水平軸回りに回動自在に配置した複数のルーバー材を備え、ルーバー材は、中空部を有する外殻構造であり、照射光を遮断する遮光部と、照射光を透過する透光部とを外殻に区画形成してあることを特徴とするルーバ装置。
【請求項２】
外殻は、遮光部を形成する遮光分殻体と透光部を形成する透光分殻体とからなることを特徴とする請求項１に記載のルーバ装置。
【請求項３】
一側面の遮光部と透光部との長さの比率と他側面の遮光部と透光部との長さの比率を異ならせてあることを特徴とする請求項１又は２に記載のルーバ装置。
【請求項４】
ルーバー材を閉じた状態で、隣り合う二つのルーバー材の透光部と遮光部とが、照射光に対して互いに重なり合わないようにしてあることを特徴とする請求項１〜３のいずれか１項に記載のルーバ装置。
【請求項５】
ルーバー材が採風状態で、隣り合う二つのルーバの遮光部を、少なくともその一部が照射光に対して互いに重なり合うように形成していることを特徴とする請求項１〜４のいずれかに記載のルーバ装置。
【請求項６】
遮光部を形成した一側面を照射光を反射する凸曲面とし、他側面を遮光部を形成した外殻部分を、照射光を隣り合う他のルーバの遮光部に向けて反射する凹曲面としたことを特徴とする請求項１〜５のいずれか１項に記載のルーバ装置。
【発明の詳細な説明】
【技術分野】
【０００１】
本発明は、室内外に設けて遮光と採光を行うルーバ装置に関する。
【背景技術】
【０００２】
従来、窓から室内に射し込む直射日光等の光を遮るため、窓にルーバ装置を設けて遮光及び採光を行うものとして、特許文献１に開示されたものがある。
特許文献１に開示された従来のルーバ装置は、複数並べた板状のルーバー羽根を回動させて遮光及び採光を行う構成のものであり、板状のルーバー羽根全面のうちの一部分に光を拡散させる拡散部を設けると共に拡散部以外の部分を光を透過させない遮光部とし、遮光するため各ルーバー羽根を回動させた際に、各ルーバー羽根の拡散部が隣りのルーバー羽根の遮光部と重複してなることを特徴としたものである。
【特許文献１】特開２００２−９７８６９号公報
【発明の開示】
【発明が解決しようとする課題】
【０００３】
しかしながら、上記した特許文献１に記載のルーバシステムでは、ルーバを板状に形成しているので、風雨に晒される外部環境下では十分な機械的強度を確保し難く、また、経時的に変形を生じさせ、必ずしも遮光を良好に行うことができない。
【０００４】
また、板状に形成していることから、板厚を均一にしようとすると、ルーバー羽根の一方の面の形状が、他方の面の形状に影響を与えるために、それら両面を互いに干渉することなく任意形状に成形することが難しいという問題もある。
【０００５】
そこで本発明は、採風を行いながら遮光性を確保できるとともに、所望の明るさの採光を行うことができ、また、十分な機械的強度に優れたルーバ装置の提供を目的としている。
【課題を解決するための手段】
【０００６】
上記目的を達成するための本発明の構成は、次のとおりである。
請求項１に記載したルーバ装置は、上下方向に間隔を空けてそれぞれ水平軸回りに回動自在に配置した複数のルーバー材を備え、ルーバー材は、中空部を有する外殻構造であり、照射光を遮断する遮光部と、照射光を透過する透光部とを外殻に区画形成してあることを特徴としている。
【０００７】
請求項２に記載のルーバ装置は、請求項１に記載した外殻が、遮光部を形成する遮光分殻体と透光部を形成する透光分殻体とからなる。
【０００８】
請求項３に記載のルーバ装置は、請求項１又は２に記載した一側面の遮光部と透光部との長さの比率と他側面の遮光部と透光部との長さの比率を異ならせてある。
【０００９】
請求項４に記載のルーバ装置は、請求項１〜３のいずれか１項に記載したルーバー材を閉じた状態で、隣り合う二つのルーバー材の透光部と遮光部とが、照射光に対して互いに重なり合わないようにしてある。
【００１０】
請求項５に記載のルーバ装置は、請求項１〜４のいずれか１項に記載したルーバー材が採風状態で、隣り合う二つのルーバの遮光部を、少なくともその一部が照射光に対して互いに重なり合うように形成している。
【００１１】
請求項６に記載のルーバ装置は、請求項１〜５のいずれか１項に記載した遮光部を形成した一側面を照射光を反射する凸曲面とし、他側面を遮光部を形成した外殻部分を、照射光を隣り合う他のルーバの遮光部に向けて反射する凹曲面としている。
【発明の効果】
【００１２】
請求項１に記載した発明によれば、採風を行いながら遮光性を確保し、かつ、所望の明るさの採光を行うことができ、また、十分な機械的強度に優れたルーバ装置と、これに用いるルーバを得ることができる。
また、中空構造としているので、必要な機械的強度を確保しつつ、軽量化を図ることができるとともに、遮光部や透光部の形状を互いに制約することなく形成することができる。
さらに、中空部において、透過した照射光を反射拡散させることができる。
【００１３】
請求項１に記載した発明で得られる効果に加え、各請求項に記載の発明によれば次の効果を得ることができる。
請求項２に記載した発明によれば、遮光部を形成する遮光分殻体と透光部を形成する透光分殻体とにより構成しているので、遮光部と透光部との形成を容易に行うことができる。
請求項３に記載した発明によれば、一側面の遮光部と透光部との長さの比率と他側面の遮光部と透光部との長さの比率を異ならせているので、所望の遮光及び採光を行うことができる。
【００１４】
請求項４に記載した発明によれば、ルーバー材を閉じた状態で、隣り合う二つのルーバー材の透光部と遮光部とが、照射光に対して互いに重なり合わないようにしているので、ルーバー材を閉じているときにも、十分な採光を行うことができる。
【００１５】
請求項５に記載した発明によれば、ルーバー材が採風状態で、隣り合う二つのルーバの遮光部を、少なくともその一部が照射光に対して互いに重なり合うように形成しているので、採風を行いながらも遮光を確実に行うことができる。
【００１６】
請求項６に記載した発明によれば、遮光部を形成した一側面を照射光を反射する凸曲面とし、他側面を遮光部を形成した外殻部分を、照射光を隣り合う他のルーバの遮光部に向けて反射する凹曲面としているので、より明るい採光を行うことができる。
【発明を実施するための最良の形態】
【００１７】
以下に、本発明を実施するための最良の形態について、図面を参照して説明する。図１は、本発明の第一の実施形態に係るルーバー材の一部をなすルーバ本体の断面図、図２は、本発明の一実施形態に係るルーバ装置の正面図、図３は、図２に示すＩ‐Ｉ線に沿う断面図であり、その一部を省略して示している。また、図４は、図２に示すＩＩ‐ＩＩ線に沿う断面図であり、その一部を省略して示している。
【００１８】
本発明の一実施形態に係るルーバ装置Ａは、互いに所要の間隔で複数並列したルーバー材Ｂ…を互いに同期して回動させるようにしたものである。
本実施形態においては、上下方向に間隔を空けてそれぞれ水平軸回りに回動自在に配置した複数のルーバー材Ｂ…を備え、ルーバー材Ｂ…は、中空部βを有する外殻構造であり、照射光を遮断する遮光部Ｓ１，Ｓ２と、照射光を透過する透光部Ｓ３，Ｓ４とを外殻に区画形成している。
【００１９】
具体的には、互いに所要の間隔をおいて起立した竪枠材１０Ａ，１０Ｂ，１０Ｃの上端部間に、横枠材１１，１１を横架してなる枠体１２と、それら竪枠材１０Ａ，１０Ｂ，１０Ｃ間に上下多段に配列した複数のルーバー材Ｂ…とを主要の構成としたものである。
【００２０】
竪枠材１０Ａは、図２に示すように、互いに平行にした側壁１３ａ，１３ｂ及び内外壁１４，１５により長方形の中空枠として一体成型されている。
なお、他の竪枠材１０Ｂ，１０Ｃは、竪枠材１０Ａと同等の構造になっているので、それらと同等のものに同一の符号を付して説明を省略する。
【００２１】
竪枠材１０Ａの側壁１３ｂには、基部１６ａの一端に支持片１６ｂを折曲形成した平面視Ｌ字形の支持材１６と、基部１６ａの他端に当接させたアングル材１７とが固定されている。
支持片１６ｂには、平面視Ｌ字形のカバー部材１８、軸支部材１９、ガイドプレート２０がそれぞれ固定されている。なお、２１は、アングル材１７に固定されたカバー部材である。
【００２２】
軸支部材１９は平面視Ｌ字形に形成されており、それには、ルーバー材Ｂを回動自在に軸支するための円筒形の軸支部２２の基端部が固着されている。
【００２３】
ルーバー材Ｂは第一の実施形態に係るものであり、それは、詳細を後述するルーバ本体５０の両端に、取付け具７０，７０を配設したものである。
取付け具７０は金属製のものであり、ルーバ本体５０の輪郭に沿う形状にした側壁７１の辺縁に沿って、一定幅の鍔７２を連成したものである。
【００２４】
側壁７１であって、上記した軸支部２２に対向する位置には、嵌合孔７１ａが形成されているとともに、その嵌合孔７１ａから外端側（室外側）に偏移した位置には、ルーバ本体５０を位置決めするための位置決めピン７２が、また、内端側（室内側）に偏移した位置には、上下多段に配列したルーバー材Ｂ…の上半部側のものに共通の連動棒７３が、また、下半部側のものにも共通の連動棒７３がそれぞれ連結されている。
【００２５】
連動棒７３，７３には、図３に示すように、ガイドプレート２０に形成されている半円弧形のガイド溝２０ａに沿って移動するハンドル７４，７４がそれぞれ固定されている。
このハンドル７４を、ガイド溝２０ａに沿って上下移動することにより、ルーバー材Ｂ…を回動させるようになっている。
【００２６】
本実施形態においては、上半部側に配設したルーバー材Ｂ…と、下半部側に配設したルーバー材Ｂ…とを、別のハンドル７４，７４によって互いに独立して回動させられるようにしているが、すべてのルーバー材Ｂを同期して回動するようにしてもよい。
【００２７】
竪枠材１０Ｂの側壁１３ａには、上記したものと同等の支持材１６、アングル材１７が固定されている。
支持片１６ｂには、上記したものと同等のカバー部材１８と軸支部材１９が、また、アングル材１７にはカバー部材１８が固定されている。
【００２８】
この竪枠材１０Ｂの側壁１３ｂには、上記した竪枠材１０Ａの側壁１３ｂに配設した、支持材１６、アングル材１７、カバー部材１８、軸支部材１９、ガイドプレート２０及びカバー部材２１と同等のものが配設されているので、それらと同一の符号を付して説明を省略する。
【００２９】
また、竪枠材１０Ｃの側壁１３ａにも、竪枠材１０Ｂの側壁１３ａにおいて説明した、支持材１６、アングル材１７、カバー部材１８，１８、軸支部材１９と同等のものが配設されているので、それらと同一の符号を付して説明を省略する。
【００３０】
次に、図１をも参照してルーバ本体について、詳細に説明する。
ルーバ本体５０は合成樹脂製のものであり、図１に示す隣り合う立枠１０Ａ，１０Ｂの間隔よりもやや短い全長Ｌにし、かつ、幅Ｗにした略断面翼形の中空外殻構造にしている。
【００３１】
具体的には、照射光を遮断する遮光部Ｓ１，Ｓ２となるように着色した一端半部側（室外側）の遮光分殻体５１と、照射光を透過する透光部Ｓ３，Ｓ４となるように透明又は半透明に形成した他端半部側（室外側）の透光分殻体５２とからなり、それら遮光分殻体５１と透光分殻体５２とにより外殻を構成している。
「照射光」は、本ルーバ装置Ａを室内外の境界に配置したときには日光のことであり、また、例えば室内において部屋を仕切る位置に配置したときには、室内灯の光のことである。
【００３２】
このように、遮光部Ｓ１，Ｓ２と透光部Ｓ３，Ｓ４とに対応する二つの遮光，透光分殻体５１，５２により形成しているので、それら遮光部Ｓ１，Ｓ２と透光部Ｓ３，Ｓ４の成型を容易に行うことができる。
なお、「一端半部」を室外側に向けているという意味において「外端半部」、「他端半部」を室内側に向けているという意味において「内端半部」とも称することができる。
【００３３】
一端半部側の遮光分殻体５１は、凸曲成した一側面側（図示上面側）の外殻部分５１ａと、凹曲成した他面側（図示下面側）の外殻部分５１ｂを一端部から他端部に向け、互いの間隔が次第に広がるように一体に成形されており、また、中空部β内には、補強リブ５１ｃが一体に形成されている。
詳細については後述するが、凸曲成した一側面側の外殻部分５１ａは、凹曲成した他面側の外殻部分５１ｂよりも他端部側に延出して長く形成されている。
【００３４】
外殻部分５１ａは、照射光を室外側に反射返戻する曲面形状に、また、外殻部分５１ｂは、照射光を室内側に反射する曲面形状にそれぞれ形成されている。
また、外殻部分５１ａと、外殻部分５１ｂの各内辺縁部５１ａ´，５１ｂ´には、後述する弾性係合部５５，５６と係合するための断面略Ｃ字形の弾性係合部５３，５４が形成されている。
【００３５】
他端半部側の透光分殻体５２は、それぞれ凸曲面にした一面側の外殻部分５２ａと他面側の殻壁外殻部分５２ｂを、他端部から一端部に向け、次第に互いの間隔が広がるように一体に形成されている。
また、その一面側の外殻部分５２ａの辺縁部５２ａ´と、他面側の外殻部分５２ｂの各辺縁部５２ｂ´には、上記弾性係合部５３，５４と係合するための略Ｌ字形の弾性係合部５５，５６が形成されている。
【００３６】
本実施形態において示すルーバ本体５０は、一端半部側の遮光分殻体５１と他端半部側の透光分殻体５２とを互いの弾性係合部５３，５４、５５，５６を係合するように形成されている。
これにより、ルーバ本体５０、従ってまた、ルーバー材Ｂの一端半部側の一面側と他面側にそれぞれ遮光部Ｓ１，Ｓ２が、また、他端半部側の一面側と他面側にそれぞれ透光部Ｓ３，Ｓ４がそれぞれ形成されていることになる。
【００３７】
本実施形態においては、ルーバー材Ｂを採風姿勢に回動したとき、隣り合うルーバー材Ｂ，Ｂの遮光部Ｓ１，Ｓ２どうしが、照射光に対して少なくともその一部が重なり合うように、それら遮光部の形成領域を設定している。
具体的には、隣り合う上下のルーバー材Ｂ，Ｂどうしの配列間隔を勘案して、上記した遮光部Ｓ１と透光部Ｓ３との比率ａ，ｂをａ＞ｂとし、また、遮光部Ｓ２と透光部Ｓ４との比率ｃ，ｄをｃ＜ｄ、とした寸法関係を満たすようにしている。
【００３８】
すなわち、ルーバー材Ｂを回動調整することにより、例えば夏のような強い照射光の場合には、室内に差し込む照射光を減少させ、また、冬のような弱い照射光の場合には、室内に差し込む照射光を増加させるように、遮光部Ｓ１と透光部Ｓ３との比率ａ，ｂ及び遮光部Ｓ２と透光部Ｓ４との比率ｃ，ｄを設定しているのである。従って、たとえば季節に応じた所要の採光を行うことができる。
【００３９】
また、ルーバー材を閉じた状態、すなわち、閉姿勢に回動したとき、隣り合う二つのルーバー材Ｂ，Ｂの透光部Ｓ３，Ｓ３と遮光部Ｓ１，Ｓ２とが、照射光に対して互いに重なり合わない寸法関係をも満たすようにしている。
【００４０】
次に、ルーバー材と入射光との関係について、図５〜９を参照して説明する。図５は、上記したルーバー材の回動範囲を示す説明図、図６は、ルーバー材を一の態様に係る採風姿勢にしたときの様子を示す説明図、図７は、ルーバー材を閉じた姿勢にした様子を示す説明図である。また、図８は、ルーバー材を他の態様に係る採風姿勢にした様子を示す説明図、図９は、ルーバー材をさらに他の態様に係る採風姿勢にした様子を示す説明図である。なお、図６〜９においては、照射角度が異なる照射光（日光）を矢印α１，α２で示している。
【００４１】
上記したルーバー材Ｂは、例えば四季それぞれに対応した角度に回動させることができ、例えば図５（Ａ）には、例えば雨や雪を防ぐように閉じた第一の閉姿勢（イ）を示している。
【００４２】
同様にして、同図（Ｂ）〜（Ｄ）には、例えば夏から秋の気候に合わせた角度に回動した採風姿勢（ロ）〜（ニ）、また、同図（Ｅ）は、例えば冬の気候において寒風を防ぐように閉じた第二の閉姿勢（ホ）を示している。
なお、上記図５（Ｂ）〜（Ｄ）に示す採風姿勢（ロ）〜（ニ）を、ルーバー材Ｂの採風状態ともいい、また、同図（Ａ），（Ｅ）に示す第一，第二の閉姿勢をルーバー材Ｂを閉じた状態ともいう。
【００４３】
図６に示すように、照射光α１の照射角度を勘案し、その照射光α１にほぼ直交する採風姿勢となるようにルーバー材Ｂ…を回動させる。換言すると、それらのルーバー材Ｂ…の各他端部を斜め上向きにした採風姿勢にする。
この場合、隣り合う二つのルーバー材Ｂ，Ｂのうち、上段側のルーバー材Ｂの一端部際を通過する入射光α１は、下段のルーバー材Ｂの上面側の遮光部Ｓ１によって遮られ、これにより、採風を行いながらも照射光が室内側に差し込むことがない。
【００４４】
上述したように本実施形態においては、隣り合う上下のルーバー材Ｂ，Ｂどうしの配列間隔を勘案して、上記した遮光部Ｓ１と透光部Ｓ２との比率ａ，ｂをａ＞ｂとしているので、照射光α１の照射角度が、例えば季節毎に想定された角度範囲内で深浅変動するときにも、十分に対応することができる。
【００４５】
図７に示すように、ルーバー材Ｂ…を回動させて、上段側のルーバー材Ｂの他端部と下段側のルーバー材Ｂの一端部とが重なり合う全閉姿勢（ホ）にする。
この全閉姿勢（ホ）においては、透光部Ｓ３，４を通じて照射光α２を室内側に十分に取り込むことができ、所望の明るさの採光を行うことができる。また、透光部Ｓ３，４に透過した照射光α２を、中空部βによって反射拡散することができるので、均質化した光を室内に取り込むことができる。
【００４６】
図８に示すように、照射光α１の照射角度を勘案し、その照射光α１に対して中心軸線Ｏが９０度よりもやや鈍角となるようにルーバー材Ｂ…を回動させて、それらルーバー材Ｂ…の他端部をやや上向きにした採風姿勢（ロ）にする。
【００４７】
この採風姿勢（ロ）においては、各ルーバー材Ｂの一端部側に凸曲成した遮光部Ｓ１によって、照射光は室外側に反射返戻される。これにより、想定外の照射光が室内側に入り込むことを防止できる。
また、隣り合う二つのルーバＢ，Ｂのうち、上段側のルーバＢの後端部際を通過する入射光α１は、下段側のルーバＢの遮光部Ｓ１によって遮られ、これにより、採風を行いながらも照射光が室内側に差し込むことがない。
【００４８】
図９に示すように、照射光α２の照射角度を勘案し、その照射光α２が他面側の遮光部Ｓ２に照射される採風姿勢（ニ）となるようにルーバー材Ｂ…を回動させる。換言すると、そのルーバー材Ｂの他端部を斜め下向きにした採風姿勢にする。
【００４９】
この採風姿勢（ニ）においては、各ルーバー材Ｂの凹曲成にした遮光部Ｓ２によって、照射光が室内側に反射され、また、その反射光の一部は下段側のルーバー材Ｂの遮光部Ｓ１によって室内側にに反射されて採り入れられる。これにより、採風を行いながら、より明るい採光を行うことができる。
【００５０】
次に、第二〜七の実施形態に係るルーバー材について、図１０，１１を参照して説明する。図１０は、第二の実施形態に係るルーバー材のうち、ルーバ本体の断面図、図１１（Ａ）〜（Ｅ）は、第三〜第七の実施形態に係るルーバー材のうち、各ルーバ本体を簡略化して示す断面図である。
なお、上述した実施形態において説明したものと同等のものについては、それらと同一の符号を付して説明を省略する。
【００５１】
第二の実施形態に係るルーバー材のルーバ本体５０Ａは、図１０に示すように、上記したルーバ本体５０と同等の合成樹脂製のものであり、そのルーバ本体５０と同じ全長にし、かつ、同じ幅にした略翼形の断面形状になっている。
【００５２】
本実施形態において示すルーバ本体５０Ａは、照射光を透過する透光部Ｓ３，Ｓ４となるように透明又は半透明に形成した一端半部側（室外側）の遮光分殻体５１Ａと、照射光を遮断する遮光部Ｓ１，Ｓ２となるように着色した他端半部側（室外側）の透光分殻体５２Ａとからなる。
具体的には、隣り合う上下のルーバー材Ｂ，Ｂどうしの配列間隔を勘案して、上記した透光部Ｓ３と遮光部Ｓ１との比率ａ，ｂをａ＞ｂとし、また、透光部Ｓ４と遮光部Ｓ３との比率ｃ，ｄをｃ＜ｄ、とした寸法関係を満たすようにしている。
【００５３】
第三の実施形態に係るルーバー材のルーバ本体５０Ｂは、図１１（Ａ）に示すように、幅Ｗの約４／５を遮光部Ｓ１，Ｓ２とし、残余の約１／５を透光部Ｓ３，Ｓ４としたものである。
第四の実施形態に係るルーバー材のルーバ本体５０Ｃは、図１１（Ｂ）に示すように、幅Ｗの中心部分の約３／５を遮光部Ｓ１，Ｓ２とし、両側の残余の約１／５ずつに透光部Ｓ３，Ｓ４、Ｓ５，Ｓ６を形成したものである。
【００５４】
第五の実施形態に係るルーバー材のルーバ本体５０Ｄは、図１１（Ｃ）に示すように、幅Ｗの約４／５を透光部Ｓ３，Ｓ４とし、残余の約１／５を遮光部Ｓ１，Ｓ２としたものである。
第六の実施形態に係るルーバー材のルーバ本体５０Ｅは、図１１（Ｄ）に示すように、全幅Ｗの中心部分の約３／５を透光部Ｓ３，Ｓ４とし、両側の残余の約１／５ずつに遮光部Ｓ１，Ｓ２、Ｓ６，Ｓ７を形成したものである。
【００５５】
以上詳細に説明したが、いずれにしても、上記各実施形態において説明した各構成は、それら各実施形態にのみ適用することに限らず、一の実施形態において説明した構成を、他の実施形態に準用若しくは適用し、さらには、それを任意に組み合わせることができるものである。
【００５６】
なお、本発明は上述した実施形態に限るものではなく、次のような変形実施が可能である。
上述した実施形態においては、互いに同一構造のルーバー材を、互いに所要の間隔で複数並列した構造のものを例として説明したが、互いに異なる構造のものを配列してもよい。
【図面の簡単な説明】
【００５７】
【図１】本発明の第一の実施形態に係るルーバー材の一部をなすルーバ本体の断面図である。
【図２】本発明の一実施形態に係るルーバ装置の正面図である。
【図３】図２に示すＩ‐Ｉ線に沿う断面図であり、その一部を省略して示している。
【図４】図２に示すＩＩ‐ＩＩ線に沿う断面図であり、その一部を省略して示している。
【図５】上記したルーバー材の回動範囲を示す説明図である。
【図６】ルーバー材を、一の態様に係る採風姿勢にしたときの様子を示す説明図である。
【図７】ルーバー材を閉じた姿勢にした様子を示す説明図である。
【図８】ルーバー材を、他の態様に係る採風姿勢にした様子を示す説明図である。
【図９】ルーバー材を、さらに他の態様に係る採風姿勢にした様子を示す説明図である。
【図１０】第二の実施形態に係るルーバー材のうち、ルーバ本体の断面図である。
【図１１】（Ａ）〜（Ｅ）は、第三〜第七の実施形態に係るルーバー材のうち、各ルーバ本体を簡略化して示す断面図である。
【符号の説明】
【００５８】
５１            遮光分殻体
５１ａ，５１ｂ  外殻部分
５２            透光分殻体
５２ａ，５２ｂ  外殻部分
Ａ              ルーバ装置
Ｂ              ルーバー材
Ｓ１，Ｓ２      遮光部
Ｓ３，Ｓ４      透光部
β              中空部
【図１】
2010077637.tif 000003
【図２】
2010077637.tif 000004
【図３】
2010077637.tif 000005
【図４】
2010077637.tif 000006
【図５】
2010077637.tif 000007
【図６】
2010077637.tif 000008
【図７】
2010077637.tif 000009
【図８】
2010077637.tif 000010
【図９】
2010077637.tif 000011
【図１０】
2010077637.tif 000012
【図１１】
2010077637.tif 000013